(57)【要約】      （修正有）【課題】マスク装着時に人へ違和感を与えることなく、しかも耳に掛けるために必要なひも状部材の長さを調整可能とする調整手段を簡便にする。【解決手段】ひも状部材３を有端に形成し、このひも状部材３の両端近傍のひも状部分３１、３２が長手方向に相対移動可能に接合部材４に取付けて構成する。【選択図】図１
2005224520.tif 000002
【特許請求の範囲】
【請求項１】
顔面の少なくとも一部を被う略長方形状のマスク本体部と、耳に掛けるために該マスク本体部の長方形状の長尺方向の両側に装着されるゴムひも等のひも状部材とからなるマスクであって、
前記ひも状部材が有端に形成されており、該ひも状部材の両端近傍のひも状部分が長手方向に相対移動可能に接合部材に取付けられて構成されていることを特徴とするマスク。
【請求項２】
請求項１に記載のマスクであって、
前記ひも状部材の接合部材による長手方向の相対移動可能な取付けは摺動摩擦力によっていることを特徴とするマスク。
【請求項３】
請求項１又は請求項２に記載のマスクであって、
前記有端のひも状部材の両端近傍のひも状部分の接合部材への取付けは、一端のひも状部分が接合部材に相対不可に固定されて取付けられ、他端のひも状部分が移動可能に取付けられていることを特徴とするマスク。
【請求項４】
請求項１から請求項３のいずれかに記載したマスクであって、
前記接合部材は前記マスク本体部の長手方向の両側に形成した筒状部の内部に固定して配置されており、他端のひも状部分の端部が少なくとも筒状部外に位置していることを特徴とするマスク。
【請求項５】
請求項５に記載のマスクであって、
前記筒状部外に位置した他端のひも状部分の端部はマスク本体部に固定して取付けられていることを特徴とするマスク。
【請求項６】
請求項４又は請求項５に記載したマスクであって、
前記筒状部外に位置した他端のひも状部分の端部に筒状部への挿入を阻止する阻止手段が設けられていることを特徴とするマスク。
【発明の詳細な説明】
【技術分野】
【０００１】
本発明は、顔面に装着するマスクに関し、特に、耳に掛けるゴムひも等のひも状部材の長さを調整可能とする調整手段を簡便としたマスクに関する。
【背景技術】
【０００２】
マスクは、かぜをひいた人や花粉症の人が外部からの異物を体内に侵入させたくないときに口や鼻を覆って顔面に装着する。マスクは一般的に口や鼻を覆う略長方形状のマスク本体部とそのマスク本体部の各両端に設置された一定の長さのひも状部材から構成されている。そして、人はこのひも状部材を両耳に掛けることによりマスクを装着する。
【０００３】
一方、マスクを装着する人の頭部の大きさに合わせて耳に掛けるために必要なひも状部材の長さを調整できるマスクとして、例えば、登録実用新案第３０８８５０１号公報では、ひも状部材に長さを調整する調整器具として衣服用ボタンを取付けたマスクが開示されている。このマスクでは、ひも状部材を衣服用ボタンに通して束ね、衣服用ボタンをひも状部材に沿って移動させることにより、ひも状部材の長さの調整を可能にしている。
【０００４】
また、特開平１１−２０６８９６号公報では、ひも状部材の長さを容易に調整できるマスクが開示されている。このマスクでは、マスク本体部に固着手段と挟着手段を設け、各手段の間にゴムひもの所望の長さ部分をループ状に弛ませて配置することによりひも状部材の長さの調節を可能としている。
【０００５】
【特許文献１】特開平１１−２８２２５号公報
【特許文献２】登録実用新案第３０８８５０１号公報
【特許文献３】特開平１１−２０６８９６号公報
【発明の開示】
【発明が解決しようとする課題】
【０００６】
しかしながら、従来のようなマスクでは以下のような問題が生じていた。すなわち、一般的なマスクでは耳に掛けるためのひも状部材の長さが一定であるため、頭部の大きい人にとってはマスク本体部が顔面に密着しすぎてきつく感じてしまう。従って、長時間マスクを装着するとひも状部材を掛ける耳の後ろ側に痛みが生じて、人に違和感や異物感を与えてしまうため問題となる。また、頭部の小さい人にとっては、マスク本体部と顔面との間にすき間ができやすく、外部からの異物が体内へ侵入しやすくなってしまうため問題となる。
【０００７】
一方、上記登録実用新案第３０８８５０１号公報に開示されたマスクでは、人の頭部の大きさに応じてひも状部材の長さを調整することができるが、マスク装着時に人へ違和感を与えてしまうという問題があった。また、上記特開平１１−２０６８９６号公報に開示されたマスクでは、外出時に装着するマスクとしては外観がやや異質なものとなっており、ひも状部材の長さの調整手段も簡便とはなっていなかった。
【０００８】
本発明は上記のような問題に鑑みてなされたものであり、本発明が解決しようとする課題は、マスク装着時に人へ違和感を与えることなく、しかも耳に掛けるために必要なひも状部材の長さを調整可能とする調整手段を簡便にすることである。
【課題を解決するための手段】
【０００９】
本発明は前記課題を解決するために、次の手段をとる。
まず、第１の発明は、顔面の少なくとも一部を被う略長方形状のマスク本体部と、耳に掛けるために該マスク本体部の長方形状の長尺方向の両側に装着されるゴムひも等のひも状部材とからなるマスクであって、前記ひも状部材が有端に形成されており、該ひも状部材の両端近傍のひも状部分が長手方向に相対移動可能に接合部材に取付けられて構成されていることを特徴とする。
【００１０】
ここで、本発明において「相対移動可能」とはひも状部材の両端近傍の２つのひも状部分が向き合って移動可能なことを指している。例えば、図１（ａ）で見て、有端のひも状部材３の両端近傍にある一端の１ひも状部分３１が上方向に移動し、他端のひも状部分３２が下方向に移動できる場合が相対移動可能な状態である。この両端のひも状部分を接合部材に取付けて相対移動させる調整手段を用いると、ひも状部材の長さを調整可能とする調整手段が簡便となる。
【００１１】
また、ひも状部材には伸縮性のあるゴムひもやガーゼなど種々の部材を適用できるが、ゴム過敏症の人やアレルギー症の人等へは、ひも状部材として肌触りのよいソフトな素材を用いることが好ましい。従って、このような場合には伸縮性のないひも状部材を用いた方が調整手段の機能がより発揮され得る。
【００１２】
両端のひも状部分を接合部材に取付ける手段としては、例えば、図１（ｂ）において、一端のひも状部分３１と他端のひも状部分３２を筒状の接合部材４内に挿通させ挟み込む状態で取付ける場合が挙げられる。また、接合部材としてシート状の面ファスナーのフック片などを使用して、この接合部材に一端のひも状部分と他端のひも状部分を引っ付けるように接合させると接合部材が筒状でない場合であっても相対移動が可能となる。このような調整手段をマスクに設けると、従来のマスクのイメージを損なうことがないためマスク装着時に人へ違和感を与えることもない。
【００１３】
また、マスク装着時に接合部材が重量負担になってしまうと、人に違和感を与える場合もあるので、接合部材は軽量かつコンパクトなものが望ましい。例えば、図２（ａ）に示すような小型の筒状の接合部材や図２（ｂ）に示すような２つの筒状構造をもつように変形した小型の接合部材が挙げられる（この場合、一端のひも状部分と他端のひも状部分を別々の筒状構造内に取付けると相対移動が効率的になる）。また、図２（ｃ）に示すような短片のシートを接合部材としたり、図２（ｄ）に示すような小型の円形リング状の成形品を接合部材としたりすることができる。さらに、接合部材の材質としては、ゴム、プラスチック、合成樹脂、布等の種々の材質を適用できる。
【００１４】
よって、本発明によれば、マスク装着時に人へ違和感を与えることなく、しかも耳に掛けるために必要なひも状部材の長さを調整可能とする調整手段を簡便にすることができる。
【００１５】
次に第２の発明は、上記した第１の発明に係るマスクにおいて、前記ひも状部材の接合部材による長手方向の相対移動可能な取付けは摺動摩擦力によっていることを特徴とする。
【００１６】
ここで本発明において「摺動摩擦力によっている」とはひも状部材と接合部材が接触されるように配置され、その接触面でこすり合わされることにより摩擦抵抗を受けながらひも状部材の長さが調整される状態を指している。この摺動摩擦力を利用した調整手段を用いると、人が調整する際にその調整具合を感じやすくなる。また、一度調整したひも状部材の長さが外力によってぶれることが少ない。なお、接合部材としてシート状の面ファスナーのフック片やループ片を利用するとより強い摺動摩擦力を付与させることが可能となる。例えば、図７に示すように、接合部材４として面ファスナーを用いてそのフック片が表面となるように配置して、一端のひも状部分３１を接合部材４の右縁に縫い付け、他端のひも状部分３２を接合部材４の表面に載せるように取付けると強い摺動摩擦力が付与され得る。よって、本発明によれば、マスク装着時に必要なひも状部材の長さの調整を容易にすることができる。
【００１７】
次に第３の発明は、上記した第１の発明または第２の発明に係るマスクにおいて、前記有端のひも状部材の両端近傍のひも状部分の接合部材への取付けは、一端のひも状部分が接合部材に相対不可に固定されて取付けられ、他端のひも状部分が移動可能に取付けられていることを特徴とする。
【００１８】
一端のひも状部分が接合部材に相対不可に固定されて取付ける方法としては、一端のひも状部分を接合部材に縫い合わせたり、接着剤で接着させたりする方法が挙げられる。例えば、図１（ｂ）において一端のひも状部分３１を筒状の接合部材４に挿通した状態で縫い合わせると、一端のひも状部分３１は固定されて他端のひも状部分３２とは向かい合う位置関係にはならないので相対不可となる。そして、他端のひも状部分３２は固定されていないため、一端のひも状部分３１に対して相対移動可能となる。よって、本発明によれば、他端のひも状部分のみによってひも状部材の長さの調整が可能となるため、調整手段がより簡便となる。
【００１９】
次に第４発明は、上記した第１の発明から第３の発明のいずれかに係るマスクにおいて、前記接合部材は前記マスク本体部の長手方向の両側に形成した筒状部の内部に固定して配置されており、他端のひも状部分の端部が少なくとも筒状部外に位置していることを特徴とする。この接合部材がマスク本体部の筒状部の内部に固定して配置されると、接合部材がマスク本体部へ一体的に組み込まれ人に直接接触することがない。よって、本発明によれば、人に異物感を与えることなくマスク装着することができる。
【００２０】
次に第５の発明は、上記した第４の発明に係るマスクにおいて、前記筒状部外に位置した他端のひも状部分の端部はマスク本体部に固定して取付けられていることを特徴とする。ここで、マスク本体部に固定して取付ける手段としては、ひも状部材の長さの調整後に筒状部外に位置する他端のひも状部分をマスク本体部のガーゼの間に挟み込んで、マスク本体部に固定して取付ける場合が挙げられる。よって、本発明によれば、マスク装着中に調整後のひも状部部材の長さの変動を防止することができる。
【００２１】
次に第６の発明は、上記した第４の発明または第５の発明に係るマスクにおいて、前記筒状部外に位置した他端のひも状部分の端部に筒状部への挿入を阻止する阻止手段が設けられていることを特徴とする。ここで、筒状部への挿入を阻止する阻止手段としてはひも状部分の端部において何回か結び合わせて結び目を形成させたり、小型で円形の調整リングを端部に取付けたりする場合が挙げられる。
よって、本発明によれば、マスク装着中に筒状部外において必要なひも状部材の長さを調整可能とする調整手段を確保することができる。
【発明の効果】
【００２２】
本発明は上述した手段をとることにより、次の効果を得ることができる。
まず、第１の発明においては、マスク装着中に人へ違和感を与えることなく、しかも必要なひも状部材の長さを調整可能とする調整手段を簡便にすることができる。
次に第２の発明によれば、マスク装着時に必要なひも状部材の長さの調整を容易にすることができる。
次に第３の発明によれば、ひも状部材の長さを調整可能とする調整手段が極め簡便となる。
次に第４の発明によれば、人に異物感を与えることなくマスク装着することができる。
次に第５の発明によれば、マスク装着中に調整後のひも状部部材の長さの変動を防止することができる。
次に第６の発明によれば、マスク装着中に筒状部外において必要なひも状部材の長さを調整可能とする調整手段を確保することができる。
【発明を実施するための最良の形態】
【００２３】
本発明を実施するための最良の形態について図３〜図７を参照しながら以下に説明する。図３は、本実施例に係るマスク１０の構成およびひも状部材３の長さの調整方法を説明する説明図である。図４は、本実施例に係るマスク１０の製造方法を説明する説明図である。図５は、本実施例に係るマスク装着中におけるひも状部材３の長さの調整方法を説明する説明図である。図６は本実施例に係るマスク１０のひも状部材３に接合部材４への挿入不可となるようなコブ部Ａ、Ｂの配置を説明する説明図である。図７は本実施例に係るマスク１０の接合部材４として面ファスナーのフック片を用いた場合の配置を説明する説明図である。
【００２４】
まず、本実施例に係るマスク１０の構成について説明する。図３（ａ）（ｂ）に示すように、本実施例に係るマスク１０は複数のガーゼの生地を重ねて縫い合わせて形成された正長方形状のマスク本体部１とひも状部材３から構成されている。このマスク本体部１の素材としてはガーゼのほか布生地、不織布や紙等を用いることもできる。また、図４（ａ）（ｂ）に示すように、マスク本体部１の両側縁には、ひも状部材３が挿通するための筒状部２が設けられており、筒状部２の内部においてひも状部材３は接合部材４に取付けられている。なお、図３（ａ）（ｂ）では、構成上筒状部２の下方側において他端のひも状部分３２が筒状部２の外に位置している。この場合において、図３（ｃ）に示すように、他端のひも状部分３２をマスク本体部１のガーゼの生地の間に挟み込んで固定して取付けるとマスク装着中に調整後のひも状部部材の長さの変動を防止することができる。また、従来のマスクのイメージを損なうことなくマスクを装着することができる。
【００２５】
まず、本実施例に係るマスクの製造方法について説明する。図４（ａ）に示すように、正長方形状のマスク本体部１の図４（ａ）で見て左側縁からやや内側に筒状の接合部材４を配置する。次に、有端に形成されたひも状部材３を長手方向に相対移動可能な状態で、かつ摩擦抵抗力が生じるように筒状の接合部材４に挿通して取付ける。この場合、図４（ａ）の左側に示すように、マスク本体部１がひも状部材３全体に挿通される状態で配置すると、マスクを製造しすくなる。
【００２６】
次に、一端のひも状部分３１を接合部材４と共にマスク本体部１に縫い付けて固定し、他端のひも状部分３２を相対移動可能な状態とする。そして、マスク本体部１の両側縁からやや内側の第１折れ目部７１を折れ目としてマスク本体部１を内側に折り、その状態で第２折れ目部７２を折れ目としてさらに内側に折り込む。そうすると、図４（ｂ）に示すように、第１折れ目部７１がひも状部材３および接合部材４を包み込むように配置される。この状態において、図４（ｂ）で見て上から下方向または下から上方向に第１折れ目部７１の近傍部分をマスク本体部１へ縫い合わすと縫い目７３とともに筒状部２が形成される。従って、接合部材４は筒状部２の内部に固定して配置され、他端のひも状部分３２の端部が筒状部２の外に位置する。
【００２７】
また、このときマスク本体部１の外側には筒状部材２に対してほぼ半円状の耳掛け部５が構成される。この耳掛け部５に使用されるひも状部材３の長さがマスクを装着する際に必要な長さに相当する。なお、他端のひも状部分３２の端部にあらかじめ結び目９３を形成させておくと、他端のひも状部分３２の筒状部２への挿入が阻止され得る。この場合において、結び目９３の変わりとして、図５に示すように他端のひも状部分３２の先端に調整リング９１などを設けてもよい。そして上記同様にして、図４（ａ）で見て右側縁のマスク本体部１においても上述した構成をとっていくと本実施例に係るマスク１０となる。
【００２８】
次に、耳掛け部５の長さの調整方法について説明する。図３（ａ）に示すように、図３（ａ）で見て右側の耳掛け部５の長さを短くする場合には、筒状部２の外に位置する他端のひも状部分３２を持って下に引っ張ることにより調整できる。一方、図３（ｂ）に示すように、図３（ｂ）で見て右側の耳掛け部５の長さを長くする場合には、ひも状部材３の上方の一部分を持って上に引っ張ることにより調整できる。このように耳掛け部５の長さが調整できると、人の頭部の大きさに応じて顔面にマスク本体部１を確実に密着させることができる。なお、マスク本体部１がバランスよく顔面に密着されるためには、マスクの片端だけでなく、両端において同程度の調整をすることが望ましい。
【００２９】
また、マスク装着中においても上記と同様に耳掛け部５の長さを調整できる。
例えば、図５（ａ）で見て右側（人から見ると左側）の耳掛け部５の長さを短くする場合には、左手でマスク本体部１の右側端部の中央付近を押さえておいて、右手で他端のひも状部分３２の先端に取付けられた調整リング９１を持って下方に引っ張ることにより調整することができる。一方、耳掛け部５の長さを長くする場合には、左手でマスク本体部１の右側端部の中央付近を押さえておいて、右手で筒状部２の外に位置する上側のひも状部材３を上方に引っ張ることにより調整することができる。いずれの場合においても、調整する際に調整手段が耳に掛ける部分や顔面に直接接触しないため、マスク装着中に人へ異物感を与えることがない。しかも、他端のひも状部分３２の先端に調整リング９１を取付けることにより、マスク装着中であっても、調整手段の位置がわかりやくなるとともに、耳掛け部５の長さを調整可能とする調整手段が簡便となる。なお、この場合において接合部材４をマスク本体部１の最下端近傍に配置すると調整リング９１の筒状部２への挿入を確実に防止できる。
【００３０】
また、耳掛け部５の長さを長くする場合において、調整する際に一気に力を加えてしまった場合でも、他端のひも状部分３２の先端には筒状部２への挿入を阻止する阻止手段である調整リング９１が取付けられているため、他端のひも状部分３２の筒状部２への挿入を阻止できる。この筒状部２の外に位置する他端のひも状部分３２や調整リング９１が外観上気になるような場合には、図５（ｂ）に示すように、これらをマスク本体部１のガーゼの生地間に挟み込んでおくとひも状部部材の長さの変動を防止することができるとともに、外観を損なうことがなく装着できる。さらに、図６に示すように、本実施例に係るマスク１０の製造時において、あらかじめひも状部材３に接合部材４への挿入不可となるようなコブ部Ａ、Ｂを接合部材４の両端外側に配置した場合でも、ひも状部分３２の筒状部２への挿入が阻止され得る。
【００３１】
また、通常マスクを洗濯するとゴムひも等のひも状部材が縮んでしまう場合があるが、本実施例に係るマスクでは、ひも状部材の長さを調整することができるので、長期間にわたる使用が可能となり、経済的にもメリットがある。
【００３２】
本発明は上記実施例の構成に限定されることはなく、その他種々の形態で実施ができるものである。
例えば、上記実施例では、マスク本体部１が正長方形状のガーゼを用いた場合について説明したが、図８に示すようにマスク本体部１のデザインを多少変形した場合や図９に示すような装着時にマスク本体部１の形が変形するプリーツマスクに適用する場合であってもよい。また、本実施例では、接合部材４がマスク本体部１の両側に形成した筒状部２の内部に固定して配置されているが、この接合部材４が筒状部２の外に配置されている場合であってもよい。さらに、顔面の一部を覆うにあたり、本発明を応用して眼帯に適用することもできる。
【図面の簡単な説明】
【００３３】
【図１】本発明に係るマスクのひも状部材３が相対移動可能な状態を説明する説明図である。
【図２】本発明に係るマスクの接合部材の種類を説明する説明図である。
【図３】本実施例に係るマスク１０の構成およびひも状部材３の長さの調整方法を説明する説明図である。
【図４】本実施例に係るマスク１０の製造方法を説明する説明図である。
【図５】本実施例に係るマスク装着中におけるひも状部材３の長さの調整方法を説明する説明図である。
【図６】本実施例に係るマスク１０のひも状部材３に接合部材４への挿入不可となるようなコブ部Ａ、Ｂの配置を説明する説明図である。
【図７】本実施例に係るマスク１０の接合部材４として面ファスナーのフック片を用いた場合の配置を説明する説明図である。
【図８】本実施例に係るマスクのマスク本体部１の形を変形した実施例を説明する説明図である。
【図９】本実施例に係るマスクの装着時にマスク本体部１の形が変形するタイプの実施例を説明する説明図である。
【符号の説明】
【００３４】
１    マスク本体部
２    筒状部
３    ひも状部材
４    接合部材
１０    マスク
３１    一端のひも状部分
３２          他端のひも状部分
【図１】
2005224520.tif 000003
【図２】
2005224520.tif 000004
【図３】
2005224520.tif 000005
【図４】
2005224520.tif 000006
【図５】
2005224520.tif 000007
【図６】
2005224520.tif 000008
【図７】
2005224520.tif 000009
【図８】
2005224520.tif 000010
【図９】
2005224520.tif 000011